(57)【要約】【手段】試料分子（２６）をイオン化し、真空チャンバ（２０）内の２個の電極（１２、１４）の間に形成された電界を反射させて前後に振動させる、新規の質量分析計。メッシュ状の電子発生手段（１６）がリフレクタ電極（１２、１４）の間に配置されており、振動イオンのいくつかがメッシュに衝突するとき振動イオンがメッシュを通過する毎に第２発生により電子を発生させる。第２発生電子は、同様にメッシュ状のリフレクタ電極（１２）を通過後、検出される（１８）。イオンの振動周波数はその質量に依存し、電子発生毎に生じる信号の周波数分布から異なる質量のイオンを同定することができる。【効果】本発明によって、飛行時間型質量分析計に比べて極めてコンパクトであり、イオンサイクロトン共鳴を用いたフーリエ変換質量分析計よりも低価格である、質量分析装置が可能となる。【選択図】図１
2004530273.tif 000002
【特許請求の範囲】
【請求項１】
分子のイオンを発生させるイオン化手段と、
前記イオンに作用して前記イオンを前後に振動させ、イオンの振動周波数をその質量に依存させる手段と、
振動イオンのいくつかが、当該電子発生手段にイオンの振動周波数により決定される周波数で電子を発生させるように、振動イオンに関連して配置された電子発生手段と、
その周波数で振動しているイオンの質量を計算できる、電子とその発生周波数とを検出するためのディテクタとを含む、
分子の質量を測定するための質量分析計。
【請求項２】
前記電子発生手段は、振動イオンが当該電子発生装置と衝突したときに電子を発生する、請求項１に記載の質量分析計。
【請求項３】
前記電子発生手段は複数個の開口部を有する電極であって、いくつかの振動イオンはこれらの開口部を通過することが可能であり、他の振動イオンはこの電極に衝突する、請求項２に記載の質量分析計。
【請求項４】
前記電極は、比較的細かい金属メッシュまたは格子である、請求項３に記載の質量分析計。
【請求項５】
イオンに作用してイオンを前後に振動させる前記手段は、イオンを反射してそれらを前後に振動させるための電界を提供する電極である、請求項１に記載の質量分析計。
【請求項６】
前記電極は１対のほぼ並行に離間した電極であり、前記電子発生手段は前記１対の電極の間に配置された別の電極であり、前記別の電極は複数個の開口部を有しており、振動イオンのいくつかは前記複数個の開口部を通過でき、他の振動イオンは前記他の電極と衝突してこの電極が電子を発生する、請求項５に記載の質量分析計。
【請求項７】
前記別の電極は、前記１対の電極のほぼ中間に前記１対の電極とほぼ並行に配置されている、請求項６に記載の質量分析計。
【請求項８】
前記１対のほぼ並行に離間した電極の少なくとも一方は、振動イオンのいくつかが通過できる複数個の開口部を有しており、当該質量分析計は少なくとも１個の電極の電位を低下させる電子手段を含んでおり、異なる質量の振動イオンから振動周波数の違いにより分離された、選択された質量の振動イオンが前記電位低下された少なくとも１個の電極を介して抽出される、請求項６に記載の質量分析計。
【請求項９】
前記電子手段は、前記少なくとも１個の電極に比較的高い陰電圧パルスを印加するように作用する、請求項８に記載の質量分析計。
【請求項１０】
前記少なくとも１個の電極が比較的細かい金属メッシュまたは格子である、請求項８または９に記載の質量分析計。
【請求項１１】
前記１対のほぼ並行に離間した電極の少なくとも１個は、かなりの数の発生電子がその電極を通過できるように複数個の開口部を有しており、前記少なくとも１個の電極を通過した電子を検出できるようにディテクタが配置されている、請求項６に記載の質量分析計。
【請求項１２】
前記少なくとも１個の電極は比較的細かい金属メッシュまたは格子である、請求項１１に記載の質量分析計。
【請求項１３】
前記ディテクタがチャンネルトロンディテクタである、請求項１から１２のいずれかに記載の質量分析計。
【請求項１４】
イオン化手段によりイオン化するために分子を質量分析計に導入する手段を含む、請求項１から１３のいずれかに記載の質量分析計。
【請求項１５】
前記分子を質量分析計に導入する手段がノズルタイプ試料インジェクタである、請求項１４に記載の質量分析計。
【請求項１６】
前記分子を質量分析計に導入する手段がパルスノズルタイプ試料インジェクタである、請求項１５に記載の質量分析計。
【請求項１７】
前記イオン化手段がパルスレーザである、請求項１４〜１６のいずれかに記載の質量分析計。
【請求項１８】
(i） 試料の分子をイオン化してそのイオンを発生させる段階と、
(ii)  前記イオンに作用して前記イオンを前後に振動させ、イオンの振動周波数をその質量に依存させる段階と、
(iii）振動イオンのいくつかを電子発生手段に作用させて、イオンの振動周波数により決定される周波数で電子を発生させる段階と、
(iv)発生した電子とその発生周波数とを検出する段階と、
(v）（iv）段階の周波数決定からその周波数で振動しているイオンの質量を計算する段階とを含む、
質量分析法。
【請求項１９】
(ii)の段階が、イオンを反射して前後に振動させるための電界を形成することを含む、請求項１８に記載の質量分析法。
【請求項２０】
(iii)の段階が、振動イオンのいくつかを電子発生手段と衝突させて電子発生手段に電子を発生させることを含む、請求項１８または１９に記載の質量分析法。
【請求項２１】
異なる質量の振動イオンから振動周波数の違いにより分離された、選択された質量の振動イオンを抽出する段階をさらに含む、請求項１８から２０のいずれかに記載の質量分析法。
【請求項２２】
前記抽出段階は、選択された質量のイオンが反射されずに電界を通過するように電界を一時的に変更することを含む、請求項１９に従属する請求項２１に記載の質量分析法。
【発明の詳細な説明】
【技術分野】
【０００１】
本発明は、質量分析計と質量分析法に関する。
【背景技術】
【０００２】
質量分析法は、比較的単純な分析コンセプトであり、この方法では、試料の分子をイオン化した後、質量分析計においてこれらのイオンをほぼそれらの質量に応じて電荷比に分離させて、検出する。磁界型、電界・磁界結合型、四極型、イオンサイクロトロン共鳴型、４極イオン蓄積トラップ型および飛行時間型質量分析計など、多くのタイプの質量分析計が利用できる。これらのうち、飛行時間型質量分析計（TOFMS）は、高感度を有し且つ広汎な（ほぼ無限の）質量範囲の測定が可能である。したがってこの質量分析計は、バイオおよび合成ポリマの質量分析に理想的である。あらゆる方法でのイオン化から完全なマススペクトルが得られるという点でもまた、TOFNSは他の質量分析方法よりも有利である。しかしながら、異なる質量のイオンの分離に必要な無電界ドリフト域が長い（約０．５〜１ｍの長さ）ため、TOFMS装置は大型で高真空状態（１０-6Torr）を必要とする。ドリフト域を通ってイオンを後方へ反射するために、ドリフト域の端部にリフレクトロン（イオンミラー）が設けられていて、これによって質量分解能を向上させることができる。しかしながら、TOFMS装置が大型で極めて高度の真空装置であるという問題は残っている。
【０００３】
すぐれた分解能を有するもう１つの高感度質量分析計は、たとえばフーリエ変換質量分析計（FTMS）のようなイオンサイクロトロン（ICR）現象を用いた質量分析計である。FTMSにおいて、イオンは、長時間にわたって限定された軌道のイオントラップ内を循環させられる。ａｃ入力信号が印加され、それによって、イオン軌道がイオンの質量／電荷比に応じて変更される。イオンは、それらが電極を通過するときの「イメージ電流」の発生により検出される。発生した時間分域信号は、周波数分域信号に、次いで対応するマススペクトルにフーリエ変換される。しかしながら、FTMS装置は、高価である。
【発明の開示】
【発明が解決しようとする課題】
【０００４】
本発明の背景に関するこれらの議論は、本発明の文脈を説明するためのものである。ここに述べた事柄が請求項の優先権日におけるオーストラリアの当該技術における共通の一般的知識であると承認されていると、受け取るべきでない。
本発明の目的は、高感度と高分解能を有し広い質量範囲の測定が可能であり、且つTOFMとFTMSとの上記欠点を低減できる質量分析計および質量分析法を提供することである。
【課題を解決するための手段】
【０００５】
第１の局面によれば、本発明は、
分子のイオンを発生させるイオン化手段と、
前記イオンに作用して前記イオンを前後に振動させ、イオンの振動周波数をその質量に依存させる手段と、
振動イオンのいくつかが、当該電子発生手段にイオンの振動周波数により決定される周波数で電子を発生させるように、振動イオンに関連して配置された電子発生手段と、
その周波数で振動しているイオンの質量を計算するために電子とその発生周波数とを検出するディテクタとを含む、
分子の質量を測定するための質量分析計を提供する。
【０００６】
第２の局面によれば、本発明はまた、
（i） 試料の分子をイオン化してそのイオンを発生させる段階と、
(ii)  前記イオンに作用して前記イオンを前後に振動させ、イオンの振動周波数をその質量に依存させる段階と、
（iii）振動イオンのいくつかを電子発生手段に作用させて、イオンの振動周波数により決定される周波数で電子を発生させる段階と、
（iv）発生した電子とその発生周波数とを検出する段階と、
（v）（iv）段階の周波数決定からその周波数で振動しているイオンの質量を計算する段階とを含む、
質量分析法を提供する。
【０００７】
本発明は、イオンの振動周波数がイオンの質量（実際には質量／電荷比）に依存するという事実と、ＦＴＭＳの測定法よりも単純な、異なる質量のイオンの振動周波数を測定するメカニズムの発見とによるものである。この「メカニズム」は、特定の質量／電荷比を有する振動イオンが固定位置（この位置は電子発生手段により決定される）を通過する毎に電子を発生し、時間に関する表現としての信号（電子「爆発」）を得ることを含む。この表現における各電子発生からの信号の周波数分布によって、異なる質量を有するイオンの同定が可能になる。
【０００８】
電子発生手段は、振動イオンが電子発生手段と衝突するときに電子を発生するように構成されていることが好ましい。したがって、この手段は複数個の開口部を有する電極であって、いくつかの振動イオンはこれらの開口部を通過することが可能であり、他の振動イオンはこの電極に衝突するようになっていてもよい。電子発生手段は、比較的細かい金属メッシュまたは格子であることが好ましい。１実施形態において、金属メッシュまたは格子は、振動イオンの約１５％が金属メッシュまたは格子に衝突して電子を発生するように構成されている。
【０００９】
上記のような実施形態において、検出「メカニズム」は、イオンが電子発生電極を通過して振動する毎にいくつかのイオンが破壊されることを含んでいることは理解されるであろう。これはFTMS（軌道を移動するイオンの検出によってイオンの破壊は起こらない）の場合ほど理想的ではないが、イオンの検出によってすべてのイオンが破壊されるＴＯＦＭＳの場合よりも良好である。勿論、電子発生電極のメッシュまたは格子は、必要に応じて選択された透過率を有してもよく、たとえば、振動イオンに対する高い透過率は、イオンが通過する毎に発生したイオン（したがって検出された信号）を減少させるが、測定すべきイオンを非常に多く通過させ、その結果より良好な質量分解能が得られる。
【００１０】
本発明の利点の１つは、イオン発生場所に極めて近いところでイオンが振動させられ、且つ電子発生手段は必然的に振動イオンの近くに位置し、したがって質量分析計の主要部品をコンパクトに配置することが可能で、極めてコンパクトな質量分析計装置を開発できる。さらに、本発明は１０-5Torrまたはそれ以下の真空を必要とし、この数字は、従来のTOFMSが耐えられる最高圧よりも約１０大きい係数である。したがって、本発明による質量分析計に必要な真空システムは、TOFMSに必要な真空システムよりも真空度が低い。したがって、本発明はTOFMSの問題点を減らすことができる。
【００１１】
好ましくは、イオンに作用してイオンを前後に振動させる手段は、イオンを反射してそのように振動させる電界を提供するための電極（以下リフレクタ電極と呼ぶ）である。好ましくはイオンを反射するこれらの電極は１対のほぼ並行に離間した電極であって、電子を発生するメッシュまたは格子電極がこの１対のリフレクタ電極の間に配置されている。好ましくは、電子発生電極が前記１対のリフレクタ電極の中間においてそれらとほぼ並行に配置されている。
【００１２】
好ましくは、リフレクタ電極の一方は、かなりの数の発生電子がその電極を通過できるように複数個の開口部を有しており、この電極を通過した電子を検出できるようにディテクタが配置されている。好ましくは、このリフレクタ電極は比較的細かい金属メッシュまたは格子である。
直前のパラグラフに記載した本発明の局面の他の実施形態において、リフレクタ電極の他方は、振動イオンのいくつかが通過できる複数個の開口部を有しているのが好ましく、質量分析計はこの他方のリフレクタ電極の電位を低下させる電子手段を含んでおり、異なる質量の振動イオンから振動周波数の違いにより分離された、選択された質量の振動イオンが電位低下したこの電極を介して抽出される。好ましくは、この電子手段は、この他方のリフレクタ電極に比較的高い陰電圧パルスを印加するように作用する。好ましくは、この他方のリフレクタ電極もまた比較的細かい金属メッシュまたは格子である。
【００１３】
作動時には、リフレクタ電極と電子発生電極とは別個にある電位に荷電され、その結果、電子発生電極はリフレクタ電極よりも低い（より陰性の）電位を有する。１例において、リフレクタ電極は約０ボルトであり、電子発生電極はたとえば−４０００ボルトのような比較的高い陰電圧に荷電される。この電圧状態は、発生電子が前記一方の電極のメッシュまたは格子を通過してディテクタに入るのを加速する効果を有する。リフレクタ電極の一方の電位を低下させてイオンを抽出する電子手段は、電極（前記他方のリフレクタ電極）をパルスさせて比較的短期間に比較的高い陰電位にする。１実施形態において、この陰電位は約―４０００ボルトである。
【００１４】
好ましくは、ディテクタはチャンネルトロンディテクタである。
好ましくは、質量分析計は、イオン化手段によりイオン化するために分子を質量分析計に導入するための、ノズルタイプ試料インジェクタまたはパルスノズルタイプ試料インジェクタの形状の手段を含む。好ましくは、そのようなインジェクタは、１対のリフレクタ電極の一方と電子発生電極との間に分子を射出するように設計されている。
【００１５】
好ましくは、イオン化手段は、マルチフォトンイオン化（ＭＰＩ）により分子をイオン化するパルスレーザである。
本発明をさらによく理解できるようにし且つ本発明の実施方法を示すために、単に非限定的な例を介し添付図面を参照して好ましい実施形態を次に述べる。
【発明を実施するための最良の形態】
【００１６】
本発明の一実施形態による質量分析計１０（図１参照）は、１対のほぼ並行に離間したリフレクタ電極１２、１４と、前記リフレクタ電極１２、１４の中間にリフレクタ電極１２、１４と平行に配置された電子発生手段である電子発生電極１６とを含む。チャンネルトロンイオンディテクタ１８であるディテクタが、電極１２の背後に配置されている。３個の電極１２、１４、１６とディテクタ１８とは真空チャンバ２０内に配置されている。質量分析計１０はまた、パルス弁またはパルスノズルの形状の試料インジェクタ２２を含んでいる。熟練者には知られているように、試料源２４から試料分子が試料インジェクタ２２に供給される。試料分子の経路は、図１において矢印２６により示されている。質量分析計１０はさらに、パルスレーザ２８の形状の分子イオン化手段を含んでいる。このパルスレーザ２８は、パルス試料インジェクタ２２により分子がリフレクタ電極１２と電子発生電極１６との間に導入されるとき、これらの分子をイオン化する。パルスレーザ２８は、図１の星印で表される点において分子のビームと交差する強力な収束レーザビームを提供し、マルチフォトンイオン化（MPI）により分子をイオン化する。
【００１７】
電極１２、１４は、イオンに作用してそれらのイオンを前後に振動させる手段を構成している。これらの電極１２、１４と電子発生電極１６とは、イオンおよび電子が透過または通過できるサイズの細かいメッシュまたは格子構造の金属ディスクである。典型的には、イオンおよび電子は約８５％の効率でメッシュまたは格子状の電極１２、１４、１６を通過する。質量分析計１０は電圧源手段３０を含んでいる。この電圧源手段３０により電極１２、１４、１６は独立してたとえば高い陽または陰電圧のような所定の電位になるように荷電され、そのようにして形成された電界の影響によりイオンはリフレクタ電極１２、１４の間で振動する。すなわち、リフレクタ電極１２、１４は、イオンを引き付ける電極１６の電位に助けられて、イオンを電極１２、１４間で前後に反射させる電界を提供する。
【００１８】
質量分析計１０の他の部品は、ディテクタ１８に連結された電子信号増幅・デジタル化手段３２と、質量分析計１０の作動を制御および同期し、且つ検出された信号を処理し適切な質量分析結果を出力するためのコンピュータ３４とである。
質量分析計１０の作動は、図２A〜２Dに示されている。図２Ａは陽イオンの曲線を示し、図２Ｃは電子の曲線を示している。図２Ｂおよび図２Ｄのプロットはそれぞれイオンまたは電子が「ダウンヒル」走行する（すなわち陽イオンは陰電位に向かって走行し、電子はさらに小さい陰電位に向かって走行する）ことを示すために描いた１次元電位を示している。チャンネルトロンディテクタ１８に衝突した陽イオンまたは電子はいずれも増幅された電流信号を発し、この信号は電子手段３２とコンピュータ３４とにより処理される。試料インジェクタ２２は、ガス相の揮発成分をリフレクタ電極１２と電子発生電極１６との間の領域に導入する役割を果たす。パルスレーザ２８は、図２Ａに４個の星印３６で示した点においてMPIにより分子をイオン化する。この例におけるレーザパルスは非常に短く５ｎｓである。それによって光電子が生じ、レーザの焦点からリフレクタ電極１２へ加速される。光電子が２ｋｅＶより大きい運動エネルギーを受け取ると、光電子はディテクタ１８に達する。そうでない場合には、光電子は減速、停止し逆方向に進み、最終的に電極１２、１４または１６または真空チャンバ２０の壁に衝突する。光電子のディテクタ１８への到達はほとんど瞬間的なものであり、質量分析計１０に対して内部時計として作用する。
【００１９】
陽イオンは電子発生電極１６（−４０００ｖｏｌｔｓの電位）に向かって加速され、イオンのいずれかがこの電極１６のメッシュまたは格子に衝突すると、第２発生により電子が生じる。これらの第２発生電子は、質量分析計１０におけるイオン検出の基礎を形成する。この例においては、約１５％のイオンが電極１６のメッシュまたは格子のワイヤに衝突する。イオン衝突の運動エネルギーは電極１６の金属の仕事関数を超え、１個またはそれ以上の第２電子が放出される。これらの電子はリフレクタ電極１２のメッシュまたは格子（０ボルトであり、即ち電子に関して正である）に向かいこれらを通過して加速され、チャンネルトロンディテクタ１８（図２Ｃの番号３８を参照）により検出される。電子の加速によりそれらの運動エネルギーが増加し、それによって質量分析計１０の感度が向上される。
【００２０】
電極１６のメッシュまたは格子（以後、メッシュまたは格子という意味で「格子」のみを使用する）を通過して進行する陽イオンは電極１６と電極１４間の増加する陽電位により減速され、電極１６に向かって反転される（図２Ａの番号４０を参照）。再度約１５％のイオンが電極１６の格子のワイヤに衝突すると、さらに電子が発生する。これらのさらなる第２電子はほとんどリフレクタ電極１４に向かって加速され（図２Ｃの番号４２を参照）、したがって検出されない。しかしながら、感度を向上させるためにリフレクタ電極１４の背後に第２ディテクタを加え得ることが考慮される。
【００２１】
電極１６の格子に侵入したイオンは、電極１２と電極１６との間の増加する陽電界（図２Ａの番号４４参照）により再度反転され、このとき他の約１５％のイオンは電極１６の格子に衝突し、チャンネルトロンディテクタ１８においてもう１つの検出可能な電子ピーク（図２Ｃの番号４６を参照）を生じる。イオンの振動と電極１６からの電子の発生は、イオンが質量分析計１０に残存する間じゅう継続する。イオンは、電極１２と１６および電極１６と１４との中間点の間において、それらの質量に応じた周波数で振動する。すべての質量は、同一点、この実施形態においては電極１２と１６および電極１６と１４との中間点において方向転換することが理解される。
【００２２】
図３は、ｐ−ジフルオロベンゼン（ｐDFB、  質量＝１１４ａｍｕ）の振動マススペクトルを示す。第１ピークは、ｔ＝０で起こる光電子ピークである。それ以後のピークは、すべて等間隔で起こり、すべて図２ＡにおいてｐDFBが左から右へ中央の電子発生電極とぶつかることに対応している。図４は、２つの異なる種即ちｐＤＦＢとフルオロベンゼン（ＦＢ、  質量＝９６ａｍｕ）とを含む試料の振動マススペクトルを示す。振動イオン信号は、明確に見ることができる。また、２つの異なる種の質量が質量分析計１０を通って振動し続けるにつれて、それらが異なる振動周波数を有するとした場合に予期される通り、質量間の分離が増加することも観察される。この図のスペクトルの第１ピークはＦＢの９番目の振動である。
【００２３】
図５のスペクトルは、３種、すなわちＦＢ、ｐＤＦＢおよびブロモフルオロベンゼン（ＢＦＢ）の混合物のスペクトルを示す。臭素原子は、２つの自然に生じるアイソトープ、ｍ＝７９およびｍ＝８１をほとんど同量有している。２つの対応ＢＦＢ質量１７４および１７５．９ａｍｕもまた明確に分解したことが理解される。これはイオンの第７経路のみを示し、わかり易くするためにその前後の経路は省略されている。しかしながら、このパターン全体は、全スペクトルにおいて振動していることを理解すべきである。より高い経路において且つさらに注意深いレーザフォーカシングによって、すべての大ピークの近くに自然に生じるＤ−アイソトープ種を観察することができる（それは、全体として陽子化された分子から１ａｍｕだけ離れている）。
【００２４】
質量分析計１０における所定数の振動の後、異なる質量の種は、２分の１振動だけ位相が異なる。このとき、質量（ｍ１）と質量（ｍ２）とは、質量分析計１０の反対側の半分に存在する（図６Ａ参照）。次にリフレクタ電極１４の格子が迅速に高い陰電位にパルスされると、質量分析計１０の半分にある陽イオンｍ１は図６Ｃに示すように抽出される。それから他のイオンｍ２が質量分析計１０のそのステージに入る前にリフレクタ電極１４の格子がグラウンド電位（すなわち、０ｖｏｌｔ）に戻ることができると、イオンｍ２は何事も起こらなかったように振動しつづける。図７は、この動作の例を示している。このグラフの一番上のスペクトル全体は、ＦＢおよびｐＤＦＢが中央電極１６を９度目に通過したときに始まり、このステージにおいてそれらは約２分の１振動だけ位相が異なる。、
抽出パルスは、ＦＢかｐＤＦＢかが電極１６と電極１４との間に存在するときに生じるように時間設定されている。図７における他の２つのスペクトルは、１つまたは残りの種は、残りに影響を与えることなく除去され得ることを示している。したがって、電圧源手段３０を制御するコンピュータ３４を用いて、高電圧パルス列をリフレクタ電極１４の格子に送り、化学物質の混合「スープ」からたいていの種を除去することができる。これによってマススペクトルが単純化でき、さらに研究するために関心のある種を選択できる。
【００２５】
出願人は、さらに、質量分析計１０における電界の広汎な三次元理論的モデリングを実施し、これらの電界を通過してイオン軌道を走行させた。出願人は、このモデリングを通じて、イオンが上記のように行動することを確認した。
本技術の熟練者は、本発明が上記の詳細な説明以外の変形を含むことを理解するであろう。たとえば、チャンネルトロンディテクタ１８の代わりに、それよりも高感度で小型のマルチチャネルプレート（ＭＣＰ）を用いてもよい。このようなＭＣＰを用いることによって質量分析計１０の全体的デザインをさらに小さくすることができ、このことは質量分析計１のデザインにおける大きな利点である。さらに、上記のようなレーザによるイオン化２８の代わりに、直接のワンフォトン真空紫外光（ＶＵＶ）イオン化を実施してもよい。ＶＵＶ光は、高い効率でほとんどいずれの分子をもイオン化すると理解されている。上記のパルスノズル２２は、連続源や電気スプレイ源のような多数の射出装置の1つにすぎず、連続源や電気スプレイ源を本発明に用いてもよい。また、リフレクタ電極１２、１４および／または電子発生電極１６の格子は、上記とは異なる透過率を有してもよいことを理解すべきである。たとえば９５％の処理量は、２度目の電子発生を減少させそれによってイオンの通過時の信号を減少させるが、さらに多くのイオンの通過を生じ、それによってより良好なイオン分解能が実現できる。本発明のこのような変形屋変更および他の変形や変更はすべて、本発明の特許請求項の範囲内で理解されるべきである。
【図面の簡単な説明】
【００２６】
【図１】本発明の１実施形態による質量分析計の概略線図である。
【図２Ａ】図１の質量分析計におけるイオン軌道の概略図である。
【図２Ｂ】図２Ａのイオン軌道のグラフである。
【図２Ｃ】図１の質量分析計における電子軌道の概略図である。
【図２Ｄ】図２Ｃのイオン軌道のグラフである。
【図３】図１の質量分析計のｐ−ジフルオロベンゼン（ｐＤＦＢ）のマススペクトルである。
【図４】図１の質量分析計のｐＤＦＢとフルオロベンゼン（ＦＢ）とのマススペクトルである。
【図５】図１の質量分析計のｐＤＦＢとＦＢとブロモフロオロベンゼン（ＢＦＢ）とのマススペクトルである。
【図６】図６Ａ〜６Ｆは、図２Ａ〜２Ｄと同様なイオン軌道および電子軌道の概略図およびグラフであるが、分析計から選択したイオンを抽出するための電子のパルシングを図示している。
【図７】図６のように波動状態にある質量分析計のｐＤＦＢとＦＢとのマススペクトルである。
【図１】
2004530273.tif 000003
【図２Ａ】
2004530273.tif 000004
【図２Ｂ】
2004530273.tif 000005
【図２Ｃ】
2004530273.tif 000006
【図２Ｄ】
2004530273.tif 000007
【図３】
2004530273.tif 000008
【図４】
2004530273.tif 000009
【図５】
2004530273.tif 000010
【図６】
2004530273.tif 000011
【図７】
2004530273.tif 000012
【国際公開パンフレット】
2004530273.tif 000013
2004530273.tif 000014
2004530273.tif 000015
2004530273.tif 000016
2004530273.tif 000017
2004530273.tif 000018
2004530273.tif 000019
2004530273.tif 000020
2004530273.tif 000021
2004530273.tif 000022
2004530273.tif 000023
2004530273.tif 000024
2004530273.tif 000025
2004530273.tif 000026
2004530273.tif 000027
2004530273.tif 000028
2004530273.tif 000029
2004530273.tif 000030
2004530273.tif 000031
2004530273.tif 000032
2004530273.tif 000033
2004530273.tif 000034
2004530273.tif 000035
2004530273.tif 000036
【国際調査報告】
2004530273.tif 000037
2004530273.tif 000038
2004530273.tif 000039